(57)【特許請求の範囲】
【請求項１】
出湯時に、フィードフォワード燃焼ガス量と補正値とに基づいて算出した補正ガスを燃焼させる際に、複数の燃焼面の中から所要の面数の燃焼面を選択的に切替えるとともに、当該選択的に切替えられた選択燃焼面上で当該補正ガスを燃焼させて給湯の出湯温の変動を最適化するフィードフォワード給湯燃焼制御を実行する燃焼装置において、
前記補正ガスを燃焼させる際に、前記フィードフォワード燃焼ガス量に基づいて算出した前記補正ガス、および当該フィードフォワード燃焼ガス量と前記補正値との積に基づいて算出した前記補正ガスに応じて、複数の燃焼面の中から所要の面数の燃焼面を選択的に切替え、当該選択燃焼面上で当該補正ガスを燃焼させて前記フィードフォワード給湯燃焼制御を実行するものであって、
前記補正ガスを燃焼させる際に、複数の燃焼面の中から所要の面数の燃焼面を選択的に切替えるための燃焼面選択切替手段を備えて成り、
前記燃焼面選択切替手段は、
前記フィードフォワード燃焼ガス量に基づいて算出した前記補正ガス、および当該フィードフォワード燃焼ガス量と前記補正値との積に基づいて算出した前記補正ガスを同一の前記選択燃焼面を用いて供給可能な場合に、当該同一の選択燃焼面上で前記フィードフォワード給湯燃焼制御を実行し、
前記フィードフォワード燃焼ガス量に基づいて算出した補正ガスを供給可能な選択燃焼面と当該フィードフォワード燃焼ガス量と補正値の積に基づいて算出した補正ガスを供給可能な選択燃焼面とを異なる選択燃焼面を用いて供給する必要がある場合であって、さらにフィードフォワード給湯燃焼制御を満足させる最低限の補正ガスを供給可能な選択燃焼面とフィードフォワード燃焼ガス量に基づいて算出した補正ガスを供給可能な選択燃焼面が同一のときに、当該選択燃焼面で燃焼可能な最大の補正ガス量を所定時間だけ供給して前記フィードフォワード燃焼制御を実行し、
前記フィードフォワード燃焼ガス量に基づいて算出した補正ガスを供給可能な前記選択燃焼面と、当該フィードフォワード燃焼ガス量と補正値の積に基づいて算出した補正ガスを供給可能な前記選択燃焼面とを異なる前記選択燃焼面を用いて供給する必要がある場合であっても燃焼面を切替えることなく、前記フィードフォワード給湯燃焼制御を満足させるための前記補正ガスを供給可能な前記選択燃焼面と前記フィードフォワード燃焼ガス量と補正値の積に基づいて算出した補正ガスを供給可能な前記選択燃焼面とが同一のときに、当該フィードフォワード燃焼ガス量と補正値の積に基づいて算出した補正ガスを当該選択燃焼面に供給して前記フィードフォワード給湯燃焼制御を実行し、当該補正ガスが所定のガス量に達したとき、前記フィードフォワード燃焼ガス量に基づいて算出した補正ガスを供給可能な前記選択燃焼面に前記燃焼面を切替えるとともに、当該選択燃焼面に当該補正ガスを供給して前記フィードフォワード給湯燃焼制御を実行する、
ことを特徴とする燃焼装置。
【請求項２】
出湯時に、フィードフォワード燃焼ガス量と補正値とに基づいて算出した補正ガスを燃焼させる際に、複数の燃焼面の中から所要の面数の燃焼面を選択的に切替えるとともに、当該選択的に切替えられた選択燃焼面上で当該補正ガスを燃焼させて給湯の出湯温の変動を最適化するフィードフォワード給湯燃焼制御を実行する燃焼装置において、
前記補正ガスを燃焼させる際に、複数の燃焼面の中から所要の面数の燃焼面を選択的に切替えるための燃焼面選択切替手段と、
当該選択的に切替えられた選択燃焼面、または当該選択燃焼面上で前記フィードフォワード給湯燃焼制御を実行したときに発生する保有熱量を記憶可能な選択燃焼面記憶手段と、
を備えて成り、
前記燃焼面選択切替手段は、
前記フィードフォワード燃焼ガス量に基づいて算出した前記補正ガス、および当該前記フィードフォワード燃焼ガス量と前記補正値との積に基づいて算出した前記補正ガスを同一の前記選択燃焼面を用いて供給可能な場合に、当該同一の選択燃焼面上で前記フィードフォワード給湯燃焼制御を実行し、
前記フィードフォワード燃焼ガス量に基づいて算出した補正ガスを供給可能な前記選択燃焼面と、当該フィードフォワード燃焼ガス量と補正値の積に基づいて算出した補正ガスを供給可能な前記選択燃焼面とを異なる前記選択燃焼面を用いて供給する必要がある場合に、前記選択燃焼面記憶手段に記憶された前回の前記選択燃焼面並びに前記保有熱量に基づいて、次回の前記フィードフォワード給湯燃焼制御に用いる前記選択燃焼面の選択的な切替えを実行し、
さらに、前記燃焼面選択切替手段は、
前記選択燃焼面記憶手段に記憶された前記前回の保有熱量が所定熱量以上のときは、前記次回の選択燃焼面の選択面数を前記前回の選択燃焼面の選択面数より所定面数だけ少ない前記選択燃焼面を用いて前記次回のフィードフォワード給湯燃焼制御を実行し、
前記選択燃焼面記憶手段に記憶された前記前回の保有熱量が所定熱量未満のときは、前記次回の選択燃焼面の選択面数を前記前回の選択燃焼面の選択面数より所定面数だけ多い前記選択燃焼面を用いて前記次回のフィードフォワード給湯燃焼制御を実行する、
ことを特徴とする燃焼装置。
【発明の詳細な説明】
【０００１】
【発明の属する技術分野】
本発明は、出湯時に、フィードフォワード燃焼ガス量と補正値とに基づいて算出した補正ガスを燃焼させる際に、複数の燃焼面の中から所要の面数の燃焼面を選択的に切替えるとともに、当該選択燃焼面上で当該補正ガスを燃焼させて給湯の出湯温の変動を最適化するフィードフォワード給湯燃焼制御を実行する燃焼装置に関する。
【０００２】
【従来の技術】
従来この種の燃焼装置は、出湯時に、フィードフォワード燃焼ガス量と補正値とに基づいて算出した補正ガスを燃焼させる際に、複数の燃焼面（例えば、燃焼面がＡ燃焼面とＢ燃焼面とＣ燃焼面とから構成されている）の中から所要の面数の燃焼面を選択的に切替えるとともに、当該選択燃焼面上で当該補正ガスを燃焼させて給湯の出湯温の変動を最適化するフィードフォワード給湯燃焼制御を実行していた。
【０００３】
燃焼面の切替えを伴わないフィードフォワード給湯燃焼制御においては、例えば、図５（ａ）に示すように、Ａ燃焼面とＢ燃焼面とを選択燃焼面（以降、Ａ＋Ｂ燃焼面と表現する）とし、補正ガスの燃焼中は、燃焼面の切替えを実行せずに、同一の選択燃焼面（つまり、Ａ＋Ｂ燃焼面）上で補正ガスを燃焼（以降、Ａ＋Ｂ面燃焼と表現する）させてフィードフォワード給湯燃焼制御を実行していた。
【０００４】
また、燃焼面の切替えを伴うフィードフォワード給湯燃焼制御においては、例えば、図５（ｃ）に示すように、出湯当初は、Ａ燃焼面とＢ燃焼面とＣ燃焼面とから成るＡ＋Ｂ＋Ｃ燃焼面を選択燃焼面とするフィードフォワード給湯燃焼制御（つまり、Ａ＋Ｂ＋Ｃ面燃焼によるフィードフォワード給湯燃焼制御）を実行し、補正ガスが所定のガス量（つまり、燃焼面切替ライン）に達したときに、燃焼面の切替えを実行してＡ＋Ｂ燃焼面を選択燃焼面とするフィードフォワード給湯燃焼制御（つまり、Ａ＋Ｂ面燃焼によるフィードフォワード給湯燃焼制御）を実行していた。
【０００５】
【発明が解決しようとする課題】
しかしながら、従来技術の燃焼装置では、燃焼面の切替えを伴わないフィードフォワード給湯燃焼制御においては給湯の出湯温の変動を最適化することができるもの（図５（ｂ）参照）、燃焼面の切替えを伴うフィードフォワード給湯燃焼制御においては燃焼面の切替えによる出湯温の変動が燃焼面切替ライン付近で発生するため（図５（ｄ）参照）、給湯の出湯温の変動を最適化することが難しく、湯の使用者に不快感を与えるという問題点があった。
【０００６】
本発明は、このような従来の技術が有する問題点に着目してなされたもので、給湯の出湯温の変動を最適化して快適に湯の使用を行える燃焼装置を提供することを目的としている。
【０００７】
【課題を解決するための手段】
かかる目的を達成するための本発明の要旨とするところは、次の各項の発明に存する。
【０００８】
［１］出湯時に、フィードフォワード燃焼ガス量（２４）と補正値（２６）とに基づいて算出した補正ガス（２０）を燃焼させる際に、複数の燃焼面（１２）の中から所要の面数の燃焼面（１２）を選択的に切替えるとともに、当該選択的に切替えられた選択燃焼面（１３）上で当該補正ガス（２０）を燃焼させて給湯の出湯温（１４）の変動を最適化するフィードフォワード給湯燃焼制御（１５）を実行する燃焼装置（１０）において、
前記補正ガス（２０）を燃焼させる際に、前記フィードフォワード燃焼ガス量（２４）に基づいて算出した前記補正ガス（２０ａ）、および当該フィードフォワード燃焼ガス量（２４）と前記補正値（２６）との積に基づいて算出した前記補正ガス（２０ｂ）に応じて、複数の燃焼面（１２）の中から所要の面数の燃焼面（１２）を選択的に切替え、当該選択燃焼面（１３）上で当該補正ガス（２０）を燃焼させて前記フィードフォワード給湯燃焼制御（１５）を実行するものであって、
前記補正ガス（２０）を燃焼させる際に、複数の燃焼面（１２）の中から所要の面数の燃焼面（１２）を選択的に切替えるための燃焼面選択切替手段（１６）を備えて成り、
前記燃焼面選択切替手段（１６）は、
前記フィードフォワード燃焼ガス量（２４）に基づいて算出した前記補正ガス（２０ａ）、および当該フィードフォワード燃焼ガス量（２４）と前記補正値（２６）との積に基づいて算出した前記補正ガス（２０ｂ）を同一の前記選択燃焼面（１３）を用いて供給可能な場合に、当該同一の選択燃焼面（１３）上で前記フィードフォワード給湯燃焼制御（１５）を実行し、
前記フィードフォワード燃焼ガス量（２４）に基づいて算出した補正ガス（２０ａ）を供給可能な選択燃焼面（１３）と当該フィードフォワード燃焼ガス量（２４）と補正値（２６）の積に基づいて算出した補正ガス（２０ｂ）を供給可能な選択燃焼面（１３）とを異なる選択燃焼面（１３）を用いて供給する必要がある場合であって、さらにフィードフォワード給湯燃焼制御（１５）を満足させる最低限の補正ガス（２０ｃ）を供給可能な選択燃焼面（１３）とフィードフォワード燃焼ガス量（２４）に基づいて算出した補正ガス（２０ａ）を供給可能な選択燃焼面（１３）が同一のときに、当該選択燃焼面（１３）で燃焼可能な最大の補正ガス量を所定時間だけ供給して前記フィードフォワード燃焼制御（１５）を実行し、
前記フィードフォワード燃焼ガス量（２４）に基づいて算出した補正ガス（２０ａ）を供給可能な前記選択燃焼面（１３）と、当該フィードフォワード燃焼ガス量（２４）と補正値（２６）の積に基づいて算出した補正ガス（２０ｂ）を供給可能な前記選択燃焼面（１３）とを異なる前記選択燃焼面（１３）を用いて供給する必要がある場合であっても燃焼面（１２）を切替えることなく、前記フィードフォワード給湯燃焼制御（１５）を満足させるための前記補正ガス（２０ｃ）を供給可能な前記選択燃焼面（１３）と前記フィードフォワード燃焼ガス量（２４）と補正値（２６）の積に基づいて算出した補正ガス（２０ｂ）を供給可能な前記選択燃焼面（１３）とが同一のときに、当該フィードフォワード燃焼ガス量（２４）と補正値（２６）の積に基づいて算出した補正ガス（２０ｂ）を当該選択燃焼面（１３）に供給して前記フィードフォワード給湯燃焼制御（１５）を実行し、当該補正ガス（２０）が所定のガス量に達したとき、前記フィードフォワード燃焼ガス量（２４）に基づいて算出した補正ガス（２０ａ）を供給可能な前記選択燃焼面（１３）に前記燃焼面（１２）を切替えるとともに、当該選択燃焼面（１３）に当該補正ガス（２０）を供給して前記フィードフォワード給湯燃焼制御（１５）を実行する、
ことを特徴とする燃焼装置（１０）。
【０００９】
［２］出湯時に、フィードフォワード燃焼ガス量（２４）と補正値（２６）とに基づいて算出した補正ガス（２０）を燃焼させる際に、複数の燃焼面（１２）の中から所要の面数の燃焼面（１２）を選択的に切替えるとともに、当該選択的に切替えられた選択燃焼面（１３）上で当該補正ガス（２０）を燃焼させて給湯の出湯温（１４）の変動を最適化するフィードフォワード給湯燃焼制御（１５）を実行する燃焼装置（１０）において、
前記補正ガス（２０）を燃焼させる際に、複数の燃焼面（１２）の中から所要の面数の燃焼面（１２）を選択的に切替えるための燃焼面選択切替手段（１６）と、
当該選択的に切替えられた選択燃焼面（１３）、または当該選択燃焼面（１３）上で前記フィードフォワード給湯燃焼制御（１５）を実行したときに発生する保有熱量（３０ａ）を記憶可能な選択燃焼面記憶手段（３０）と、
を備えて成り、
前記燃焼面選択切替手段（１６）は、
前記フィードフォワード燃焼ガス量（２４）に基づいて算出した前記補正ガス（２０ａ）、および当該前記フィードフォワード燃焼ガス量（２４）と前記補正値（２６）との積に基づいて算出した前記補正ガス（２０ｂ）を同一の前記選択燃焼面（１３）を用いて供給可能な場合に、当該同一の選択燃焼面（１３）上で前記フィードフォワード給湯燃焼制御（１５）を実行し、
前記フィードフォワード燃焼ガス量（２４）に基づいて算出した補正ガス（２０ａ）を供給可能な前記選択燃焼面（１３）と、当該フィードフォワード燃焼ガス量（２４）と補正値（２６）の積に基づいて算出した補正ガス（２０ｂ）を供給可能な前記選択燃焼面（１３）とを異なる前記選択燃焼面（１３）を用いて供給する必要がある場合に、前記選択燃焼面記憶手段（３０）に記憶された前回の前記選択燃焼面（１３）並びに前記保有熱量（３０ａ）に基づいて、次回の前記フィードフォワード給湯燃焼制御（１５）に用いる前記選択燃焼面（１３）の選択的な切替えを実行し、
さらに、前記燃焼面選択切替手段（１６）は、
前記選択燃焼面記憶手段（３０）に記憶された前記前回の保有熱量（３０ａ）が所定熱量（３０ｂ）以上のときは、前記次回の選択燃焼面（１３）の選択面数を前記前回の選択燃焼面（１３）の選択面数より所定面数だけ少ない前記選択燃焼面（１３）を用いて前記次回のフィードフォワード給湯燃焼制御（１５）を実行し、
前記選択燃焼面記憶手段に記憶された前記前回の保有熱量（３０ａ）が所定熱量（３０ｂ）未満のときは、前記次回の選択燃焼面（１３）の選択面数を前記前回の選択燃焼面（１３）の選択面数より所定面数だけ多い前記選択燃焼面（１３）を用いて前記次回のフィードフォワード給湯燃焼制御（１５）を実行する、
ことを特徴とする燃焼装置（１０）。
【００１０】
前記本発明は次のように作用する。
始めに第一の発明における燃焼装置（１０）の作用を説明する。
【００１１】
第一の発明における燃焼装置（１０）は、出湯時に、フィードフォワード燃焼ガス量（２４）と補正値（２６）とに基づいて算出した補正ガス（２０）を燃焼させる際に、フィードフォワード燃焼ガス量（２４）に基づいて算出した補正ガス（２０ａ）、および当該フィードフォワード燃焼ガス量（２４）と補正値（２６）との積に基づいて算出した補正ガス（２０ｂ）に応じて、複数の燃焼面（１２）の中から所要の面数の燃焼面（１２）を選択的に切替えるとともに、当該選択燃焼面（１３）上で当該補正ガス（２０）を燃焼させて給湯の出湯温（１４）の変動を最適化するフィードフォワード給湯燃焼制御（１５）を実行することができる。
【００１２】
更に詳しく第一の発明の作用について説明する。
【００１３】
燃焼面選択切替手段（１６）は、補正ガス（２０）を燃焼させる際に、複数の燃焼面（１２）の中から所要の面数の燃焼面（１２）を選択的に切替えることができるものであって、さらに、以下の［選択切替動作１］〜［選択切替動作３］に説明する動作を実行することができる。
【００１４】
［選択切替動作１］  フィードフォワード燃焼ガス量（２４）に基づいて算出した補正ガス（２０ａ）、および当該フィードフォワード燃焼ガス量（２４）と補正値（２６）との積に基づいて算出した補正ガス（２０ｂ）を同一の選択燃焼面（１３）を用いて供給可能な場合。
【００１５】
燃焼面選択切替手段（１６）は、このときの同一の選択燃焼面（１３）上でフィードフォワード給湯燃焼制御（１５）を実行する。
【００１６】
［選択切替動作２］  フィードフォワード燃焼ガス量（２４）に基づいて算出した補正ガス（２０ａ）を供給可能な選択燃焼面（１３）と当該フィードフォワード燃焼ガス量（２４）および補正値（２６）の積に基づいて算出した補正ガス（２０ｂ）を供給可能な選択燃焼面（１３）とを異なる選択燃焼面（１３）を用いて供給する必要がある場合であって、さらにフィードフォワード給湯燃焼制御（１５）を満足させる最低限のガス量を備えた補正ガス（２０ｃ）を供給可能な選択燃焼面（１３）とフィードフォワード燃焼ガス量（２４）に基づいて算出した補正ガス（２０ａ）を供給可能な選択燃焼面（１３）とが同一のとき。
【００１７】
燃焼面選択切替手段（１６）は、このときの選択燃焼面（１３）で燃焼可能な最大の補正ガス量（２４ａ）を所定時間だけ供給してフィードフォワード給湯燃焼制御（１５）を実行する。
【００１８】
［選択切替動作３］  フィードフォワード燃焼ガス量（２４）に基づいて算出した補正ガス（２０ａ）を供給可能な選択燃焼面（１３）と当該フィードフォワード燃焼ガス量（２４）および補正値（２６）の積に基づいて算出した補正ガス（２０ｂ）を供給可能な選択燃焼面（１３）とを異なる選択燃焼面（１３）を用いて供給する必要がある場合であって、さらにフィードフォワード給湯燃焼制御（１５）を満足させる最低限の補正ガス（２０ｃ）を供給可能な選択燃焼面（１３）とフィードフォワード燃焼ガス量（２４）および補正値（２６）の積に基づいて算出した補正ガス（２０ｂ）を供給可能な選択燃焼面（１３）とが同一のとき。
【００１９】
燃焼面選択切替手段（１６）は、このときのフィードフォワード燃焼ガス量（２４）および補正値（２６）の積に基づいて算出した補正ガス（２０ｂ）を当該選択燃焼面（１３）に供給してフィードフォワード給湯燃焼制御（１５）を実行し、当該補正ガス（２０）が所定のガス量に達したとき、フィードフォワード燃焼ガス量（２４）に基づいて算出した補正ガス（２０ａ）を供給可能な選択燃焼面（１３）に燃焼面（１２）を切替えるとともに、当該選択燃焼面（１３）に当該補正ガス（２０）を供給してフィードフォワード給湯燃焼制御（１５）を実行する。
【００２０】
以上説明したように第一の発明の燃焼装置（１０）によれば、給湯の出湯温（１４）の変動を最適化して快適な湯の使用ができる。
【００２１】
次に第二の発明における燃焼装置（１０）の作用を説明する。
第二の発明における燃焼装置（１０）は、出湯時に、フィードフォワード燃焼ガス量（２４）と補正値（２６）とに基づいて算出した補正ガス（２０）を燃焼させる際に、複数の燃焼面（１２）の中から所要の面数の燃焼面（１２）を選択的に切替えるとともに、当該選択燃焼面（１３）上で当該補正ガス（２０）を燃焼させて給湯の出湯温（１４）の変動を最適化するフィードフォワード給湯燃焼制御（１５）を実行するものである。
【００２２】
さらに、第二の発明における燃焼装置（１０）は、以下の［選択切替動作４］〜［選択切替動作５］に説明する動作を実行することができる。
【００２３】
［選択切替動作４］  フィードフォワード燃焼ガス量（２４）に基づいて算出した補正ガス（２０ａ）、および当該フィードフォワード燃焼ガス量（２４）と補正値（２６）との積に基づいて算出した補正ガス（２０ｂ）を同一の選択燃焼面（１３）を用いて供給可能な場合。
【００２４】
第二の発明における燃焼装置（１０）は、このときの同一の選択燃焼面（１３）上でフィードフォワード給湯燃焼制御（１５）を実行する。
【００２５】
［選択切替動作５］  フィードフォワード燃焼ガス量（２４）に基づいて算出した補正ガス（２０ａ）を供給可能な選択燃焼面（１３）と当該フィードフォワード燃焼ガス量（２４）および補正値（２６）の積に基づいて算出した補正ガス（２０ｂ）を供給可能な選択燃焼面（１３）とを異なる選択燃焼面（１３）を用いて供給する必要がある場合。
【００２６】
第二の発明における燃焼装置（１０）は、このときに選択燃焼面記憶手段（３０）に記憶された前回の選択燃焼面（１３）ならびに保有熱量（３０ａ）に基づいて、次回のフィードフォワード給湯燃焼制御（１５）に用いる選択燃焼面（１３）の選択的な切替えを実行する。
【００２７】
更に詳しく第二の発明の作用について説明する。
選択燃焼面記憶手段（３０）は、選択的に切替えられた選択燃焼面（１３）、または当該選択燃焼面（１３）上でフィードフォワード給湯燃焼制御（１５）を実行したときに発生する保有熱量（３０ａ）を記憶可能である。
【００２８】
燃焼面選択切替手段（１６）は、このときの補正ガス（２０）を燃焼させる際に、複数の燃焼面（１２）の中から所要の面数の燃焼面（１２）を選択的に切替えることが可能である。
【００２９】
さらに、燃焼面選択切替手段（１６）は、以下の［選択切替動作６］〜［選択切替動作７］に説明する動作を実行することができる。
【００３０】
［選択切替動作６］  選択燃焼面記憶手段（３０）に記憶された前回の保有熱量（３０ａ）が所定熱量（３０ｂ）以上のとき。
【００３１】
燃焼面選択切替手段（１６）は、このときの次回の選択燃焼面（１３）の選択面数を前回の選択燃焼面（１３）の選択面数より所定面数だけ少ない選択燃焼面（１３）を用いて次回のフィードフォワード給湯燃焼制御（１５）を実行する。
【００３２】
［選択切替動作７］  選択燃焼面記憶手段（３０）に記憶された前回の保有熱量（３０ａ）が所定熱量（３０ｂ）未満のとき。
【００３３】
燃焼面選択切替手段（１６）は、このときの次回の選択燃焼面（１３）の選択面数を前回の選択燃焼面（１３）の選択面数より所定面数だけ多い選択燃焼面（１３）を用いて次回のフィードフォワード給湯燃焼制御（１５）を実行する。
【００３４】
以上説明したように第二の発明の燃焼装置（１０）によれば、給湯の出湯温（１４）の変動を最適化して快適な湯の使用ができる。
【００３５】
【発明の実施の形態】
以下、図面に基づき第一の発明の一実施の形態を説明する。図１は第一の発明の一実施の形態にかかる燃焼装置１０を示す機能ブロック図である。
本実施の形態の燃焼装置１０は、図２に示すように、出湯時に、フィードフォワード燃焼ガス量（Ｆ／Ｆと呼ぶ）２４と補正値（αと呼ぶ）２６とに基づいて算出した補正ガス２０を燃焼させる際に、複数の燃焼面１２の中から所要の面数の燃焼面１２を選択的に切替えるとともに、選択燃焼面１３上で補正ガス２０を燃焼させて給湯の出湯温１４の変動を最適化するフィードフォワード給湯燃焼制御（Ｆ／Ｆ給湯燃焼制御と呼ぶ）１５を実行するものである。
【００３６】
さらに、本実施の形態の燃焼装置１０は、補正ガス２０を燃焼させる際に、フィードフォワード燃焼ガス量（Ｆ／Ｆ）２４に基づいて算出した前記補正ガス２０ａ、およびフィードフォワード燃焼ガス量（Ｆ／Ｆ）２４と補正値（α）２６との積（則ち、Ｆ／Ｆ・α、ただし・は積演算記号）に基づいて算出した前記補正ガス２０ｂに応じて、複数の燃焼面１２の中から所要の面数の燃焼面１２を選択的に切替え、選択燃焼面１３上で補正ガス２０を燃焼させてフィードフォワード給湯燃焼制御（Ｆ／Ｆ給湯燃焼制御）１５を実行するものであって、燃焼面選択切替手段１６を備えて成る。
【００３７】
燃焼面選択切替手段１６は、補正ガス２０を燃焼させる際に、複数の燃焼面１２の中から所要の面数の燃焼面１２を選択的に切替えるものである。本実施の形態の燃焼面１２は、Ａ燃焼面、Ｂ燃焼面、Ｃ燃焼面の３つ（則ち、面数＝３）の燃焼面１２から構成されている。
【００３８】
Ａ燃焼面、Ｂ燃焼面、Ｃ燃焼面は、各々独立して補正ガス２０を燃焼（則ち、Ａ面燃焼、Ｂ面燃焼、Ｃ面燃焼）させることもできるし、選択的に切替えられた所要の面数の燃焼面１２（則ち、Ａ燃焼面＋Ｂ燃焼面、Ａ燃焼面＋Ｃ燃焼面、Ｃ燃焼面＋Ｂ燃焼面、Ａ燃焼面＋Ｂ燃焼面＋Ｃ燃焼面）を複合させて補正ガス２０を燃焼（則ち、Ａ＋Ｂ面燃焼、Ａ＋Ｃ面燃焼、Ｃ＋Ｂ面燃焼、Ａ＋Ｂ＋Ｃ面燃焼）させることもできるものである。
【００３９】
燃焼面切替ラインとは、補正ガス２０の燃焼の途中で、異なる燃焼面１２に選択的に切替えた後、補正ガス２０の燃焼を続行する際の補正ガス２０の量のことである。
【００４０】
例えば、図３（ａ）〜（ｃ）に示すように、Ａ燃焼面＋Ｂ燃焼面＋Ｃ燃焼面を用いた補正ガス２０の燃焼（則ち、Ａ＋Ｂ＋Ｃ面燃焼）の途中で、異なる燃焼面１２（則ち、Ａ燃焼面＋Ｂ燃焼面）に選択的に切替えた後、補正ガス２０の燃焼（則ち、Ａ＋Ｂ面燃焼）を続行する際（則ち、３面燃焼から２面燃焼への切替の際）の補正ガス２０の量のことである。
【００４１】
全く同様にして、例えば、Ａ燃焼面＋Ｂ燃焼面を用いた補正ガス２０の燃焼（則ち、Ａ＋Ｂ面燃焼）の途中で、異なる燃焼面１２（則ち、Ａ燃焼面）に選択的に切替えた後、補正ガス２０の燃焼（則ち、Ａ面燃焼）を続行する際（則ち、２面燃焼から１面燃焼への切替の際）の補正ガス２０の量のことでもある。
【００４２】
補正値（α）２６は、前回のフィードフォワード給湯燃焼制御（Ｆ／Ｆ給湯燃焼制御）１５による保有熱量３０ａに基づいて決定される数値である。保有熱量３０ａが所定量より少ないとき、補正値（α）２６＞１に設定される。
【００４３】
本実施の形態では、補正値（α）２６として、１．６〜１．８の値を用いているが、特にこれに限定されるものではなく、燃焼条件に従って適宜変更可能なものである。また、保有熱量３０ａが所定量より多いとき、補正値（α）２６＜１に設定される。
【００４４】
図３（ａ）〜（ｃ）におけるａラインは、Ａ燃焼面＋Ｂ燃焼面を用いた補正ガス２０の燃焼（則ち、Ａ＋Ｂ面燃焼）を実行した場合に、フィードフォワード給湯燃焼制御（Ｆ／Ｆ給湯燃焼制御）１５を満足させる最低限のガス量を備えた補正ガス２０ｃを意味している。
【００４５】
同様に、図３（ａ）〜（ｃ）におけるｂラインは、Ａ燃焼面＋Ｂ燃焼面＋ｃ燃焼面を用いた補正ガス２０の燃焼（則ち、Ａ＋Ｂ＋Ｃ面燃焼）を実行した場合に、フィードフォワード給湯燃焼制御（Ｆ／Ｆ給湯燃焼制御）１５を満足させる最低限のガス量を備えた補正ガス２０ｃを意味している。
【００４６】
選択燃焼面１３で燃焼可能な最大の補正ガス量２４ａとは、図３（ｂ）に示すように、選択燃焼面１３（例えば、Ａ燃焼面＋Ｂ燃焼面）で燃焼可能な最大の補正ガス量２４ａを意味する。
【００４７】
選択燃焼面１３で燃焼可能な最大の補正ガス量２４ａを供給する所定時間は、燃焼装置１０の燃焼条件によって適宜決定可能なものである。補正ガス２０における所定のガス量とは、燃焼面切替ラインに対応する補正ガス量を意味する。
【００４８】
次に第一の発明の一実施の形態における燃焼装置１０の作用を説明する。
図２は第一の発明の一実施の形態にかかる燃焼装置１０のフィードフォワード給湯燃焼制御（Ｆ／Ｆ給湯燃焼制御）１５における、補正ガス２０の燃焼特性、および給湯の出湯温特性を示すグラフであり、図３は第一の発明の一実施の形態にかかる燃焼装置１０のフィードフォワード給湯燃焼制御（Ｆ／Ｆ給湯燃焼制御）１５における、補正ガス２０の燃焼特性、および給湯の出湯温特性を示すグラフである。
【００４９】
実施の形態における燃焼装置１０は、図２および図３に示すように、出湯時に、フィードフォワード燃焼ガス量（Ｆ／Ｆ）２４と補正値（α）２６とに基づいて算出した補正ガス２０を燃焼させる際に、フィードフォワード燃焼ガス量（Ｆ／Ｆ）２４に基づいて算出した補正ガス２０ａ、および当該フィードフォワード燃焼ガス量（Ｆ／Ｆ）２４と補正値（α）２６との積（Ｆ／Ｆ・α）に基づいて算出した補正ガス２０ｂに応じて、複数の燃焼面１２の中から所要の面数の燃焼面１２を選択的に切替えるとともに、当該選択燃焼面１３上で当該補正ガス２０を燃焼させて給湯の出湯温１４の変動を最適化するフィードフォワード給湯燃焼制御（Ｆ／Ｆ給湯燃焼制御）１５を実行することができる。
【００５０】
更に詳しく第一の発明の一実施の形態の作用について説明する。
燃焼面選択切替手段１６は、補正ガス２０を燃焼させる際に、複数の燃焼面１２の中から所要の面数の燃焼面１２を選択的に切替えることができるものであって、さらに、以下の［選択切替動作１］〜［選択切替動作３］に説明する動作を実行することができる。
【００５１】
［選択切替動作１］  フィードフォワード燃焼ガス量（Ｆ／Ｆ）２４に基づいて算出した補正ガス２０ａ、および当該フィードフォワード燃焼ガス量（Ｆ／Ｆ）２４と補正値（α）２６との積（Ｆ／Ｆ・α）に基づいて算出した補正ガス２０ｂを同一の選択燃焼面１３を用いて供給可能な場合（図２参照）。
【００５２】
例えば、図２に示すように、フィードフォワード燃焼ガス量（Ｆ／Ｆ）２４に基づいて算出した補正ガス２０ａを供給可能な選択燃焼面１３がＡ燃焼面＋Ｂ燃焼面であり、当該フィードフォワード燃焼ガス量（Ｆ／Ｆ）２４と補正値（α）２６との積（Ｆ／Ｆ・α）に基づいて算出した補正ガス２０ｂを供給可能な選択燃焼面１３がＡ燃焼面＋Ｂ燃焼面である、つまり、両者を同一の選択燃焼面１３（つまり、Ａ燃焼面＋Ｂ燃焼面）を用いて供給可能な場合。
【００５３】
燃焼面選択切替手段１６は、このときの同一の選択燃焼面（つまり、Ａ燃焼面＋Ｂ燃焼面）１３上でフィードフォワード給湯燃焼制御（Ｆ／Ｆ給湯燃焼制御）１５を実行する。
【００５４】
［選択切替動作２］  フィードフォワード燃焼ガス量（Ｆ／Ｆ）２４に基づいて算出した補正ガス２０ａを供給可能な選択燃焼面１３と当該フィードフォワード燃焼ガス量（Ｆ／Ｆ）２４および補正値（α）２６の積（Ｆ／Ｆ・α）に基づいて算出した補正ガス２０ｂを供給可能な選択燃焼面１３とを異なる選択燃焼面１３を用いて供給する必要がある場合であって、さらにフィードフォワード給湯燃焼制御（Ｆ／Ｆ給湯燃焼制御）１５を満足させる最低限のガス量を備えた補正ガス２０ｃを供給可能な選択燃焼面１３とフィードフォワード燃焼ガス量（Ｆ／Ｆ）２４に基づいて算出した補正ガス２０ａを供給可能な選択燃焼面１３とが同一のとき。
【００５５】
例えば、図３（ａ）に示すように、フィードフォワード燃焼ガス量（Ｆ／Ｆ）２４に基づいて算出した補正ガス２０ａを供給可能な選択燃焼面１３がＡ燃焼面＋Ｂ燃焼面であり、当該フィードフォワード燃焼ガス量（Ｆ／Ｆ）２４および補正値（α）２６の積（Ｆ／Ｆ・α）に基づいて算出した補正ガス２０ｂを供給可能な選択燃焼面１３がＡ燃焼面＋Ｂ燃焼面＋Ｃ燃焼面である場合（つまり、異なる選択燃焼面１３を用いて供給する場合）であって、さらに、図３（ｂ）に示すように、フィードフォワード給湯燃焼制御（Ｆ／Ｆ給湯燃焼制御）１５を満足させる最低限のガス量を備えた補正ガス２０ｃ（例えば、ａライン）を供給可能な選択燃焼面１３がＡ燃焼面＋Ｂ燃焼面であり、フィードフォワード燃焼ガス量（Ｆ／Ｆ）２４に基づいて算出した補正ガス２０ａを供給可能な選択燃焼面１３がＡ燃焼面＋Ｂ燃焼面のとき（つまり、両者を同一の選択燃焼面１３を用いて供給可能なとき）。
【００５６】
燃焼面選択切替手段１６は、図３（ｂ）に示すように、このときの選択燃焼面１３（例えば、Ａ燃焼面＋Ｂ燃焼面）で燃焼可能な最大の補正ガス量２４ａ（本実施の形態では、燃焼面切替ライン）を所定時間だけ供給してフィードフォワード給湯燃焼制御（Ｆ／Ｆ給湯燃焼制御）１５を実行する。
【００５７】
［選択切替動作３］  フィードフォワード燃焼ガス量（Ｆ／Ｆ）２４に基づいて算出した補正ガス２０ａを供給可能な選択燃焼面１３と当該フィードフォワード燃焼ガス量（Ｆ／Ｆ）２４および補正値（α）２６の積（Ｆ／Ｆ・α）に基づいて算出した補正ガス２０ｂを供給可能な選択燃焼面１３とを異なる選択燃焼面１３を用いて供給する必要がある場合であって、さらにフィードフォワード給湯燃焼制御（Ｆ／Ｆ給湯燃焼制御）１５を満足させる最低限のガス量を備えた補正ガス２０ｃを供給可能な選択燃焼面１３とフィードフォワード燃焼ガス量（Ｆ／Ｆ）２４および補正値（α）２６の積（Ｆ／Ｆ・α）に基づいて算出した補正ガス２０ｂを供給可能な選択燃焼面１３とが同一のとき。
【００５８】
例えば、図３（ａ）に示すように、フィードフォワード燃焼ガス量（Ｆ／Ｆ）２４に基づいて算出した補正ガス２０ａを供給可能な選択燃焼面１３がＡ燃焼面＋Ｂ燃焼面であり、当該フィードフォワード燃焼ガス量（Ｆ／Ｆ）２４および補正値（α）２６の積（Ｆ／Ｆ・α）に基づいて算出した補正ガス２０ｂを供給可能な選択燃焼面１３がＡ燃焼面＋Ｂ燃焼面＋Ｃ燃焼面ある揚合（つまり、異なる選択燃焼面１３を用いて供給する必要がある場合）であって、さらに、図３（ｃ）に示すように、フィードフォワード給湯燃焼制御（Ｆ／Ｆ給湯燃焼制御）１５を満足させる最低限のガス量を備えた補正ガス２０ｃ（例えば、ｂライン）を供給可能な選択燃焼面１３がＡ燃焼面＋Ｂ燃焼面＋Ｃ燃焼面であり、フィードフォワード燃焼ガス量（Ｆ／Ｆ）２４および補正値（α）２６の積（Ｆ／Ｆ・α）に基づいて算出した補正ガス２０ｂを供給可能な選択燃焼面１３がＡ燃焼面＋Ｂ燃焼面＋Ｃ燃焼面のとき（つまり、選択燃焼面１３が同一のとき）。
【００５９】
燃焼面選択切替手段１６は、このときのフィードフォワード燃焼ガス量（Ｆ／Ｆ）２４および補正値（α）２６の積（Ｆ／Ｆ・α）に基づいて算出した補正ガス２０ｂを当該選択燃焼面１３（例えば、Ａ燃焼面＋Ｂ燃焼面＋Ｃ燃焼面）に供給してフィードフォワード給湯燃焼制御（Ｆ／Ｆ給湯燃焼制御）１５を実行し、当該補正ガス２０が所定のガス量（例えば、図３（ｃ）に示す燃焼面切替ライン）に達したとき、フィードフォワード燃焼ガス量（Ｆ／Ｆ）２４に基づいて算出した補正ガス２０ａを供給可能な選択燃焼面１３（例えば、Ａ燃焼面＋Ｂ燃焼面）に燃焼面１２を切替えるとともに、当該選択燃焼面１３（Ａ燃焼面＋Ｂ燃焼面）に当該補正ガス２０を供給してフィードフォワード給湯燃焼制御（Ｆ／Ｆ給湯燃焼制御）１５を実行する。
【００６０】
以上説明したように第一の発明の一実施の形態の燃焼装置１０によれば、補正ガス２０を燃焼させる際に、フィードフォワード燃焼ガス量（Ｆ／Ｆ）２４に基づいて算出した補正ガス２０ａ、およびフィードフォワード燃焼ガス量（Ｆ／Ｆ）２４と補正値（α）２６との積（Ｆ／Ｆ・α）に基づいて算出した補正ガス２０ｂに応じて、複数の燃焼面１２の中から所要の面数の燃焼面１２を選択的に切替え、選択燃焼面１３上で補正ガス２０を燃焼させてフィードフォワード給湯燃焼制御（Ｆ／Ｆ給湯燃焼制御）１５を実行することにより、給湯の出湯温１４の変動を最適化して快適な湯の使用ができる。
【００６１】
以下、図面に基づき第二の発明の一実施の形態を説明する。図１は第二の発明の一実施の形態にかかる燃焼装置１０を示す機能ブロック図である。なお、第一の発明の一実施の形態と重複する記載は省略するものとする。
【００６２】
本実施の形態の燃焼装置１０は、出湯時に、フィードフォワード燃焼ガス量（Ｆ／Ｆ）２４と補正値（α）２６とに基づいて算出した補正ガス２０を燃焼させる際に、複数の燃焼面１２の中から所要の面数の燃焼面１２を選択的に切替えるとともに、選択燃焼面１３上で補正ガス２０を燃焼させて給湯の出湯温１４の変動を最適化するフィードフォワード給湯燃焼制御（Ｆ／Ｆ給湯燃焼制御）１５を実行するものであって、燃焼面選択切替手段１６と選択燃焼面記憶手段３０とを備えて成る。
【００６３】
燃焼装置１０に装置された選択燃焼面記憶手段３０は、選択的に切替えられた選択燃焼面１３、または選択燃焼面１３上でフィードフォワード給湯燃焼制御（Ｆ／Ｆ給湯燃焼制御）１５を実行したときに発生する保有熱量３０ａを記憶可能なように、燃焼面選択切替手段１６に接続されて成る。
【００６４】
燃焼装置１０に装置された燃焼面選択切替手段１６は、補正ガス２０を燃焼させる際に、複数の燃焼面１２の中から所要の面数の燃焼面１２を選択的に切替えるものであって、フィードフォワード燃焼ガス量（Ｆ／Ｆ）２４に基づいて算出した前記補正ガス２０ａ、およびフィードフォワード燃焼ガス量（Ｆ／Ｆ）２４と補正値（α）２６との積（Ｆ／Ｆ・α）に基づいて算出した前記補正ガス２０ｂを同一の選択燃焼面１３を用いて供給可能な場合に、同一の選択燃焼面１３上でフィードフォワード給湯燃焼制御（Ｆ／Ｆ給湯燃焼制御）１５を実行し、フィードフォワード燃焼ガス量（Ｆ／Ｆ）２４に基づいて算出した補正ガス２０ａを供給可能な選択燃焼面１３とフィードフォワード燃焼ガス量（Ｆ／Ｆ）２４および補正値（α）２６の積（Ｆ／Ｆ・α）に基づいて算出した補正ガス２０ｂを供給可能な選択燃焼面１３とを異なる選択燃焼面１３を用いて供給する必要がある場合に、選択燃焼面記憶手段３０に記憶された前回の燃焼面１２ならびに保有熱量３０ａに基づいて、次回のフィードフォワード給湯燃焼制御（Ｆ／Ｆ給湯燃焼制御）１５に用いる選択燃焼面１３の選択的な切替えを実行するように、選択燃焼面記憶手段３０に接続されて成る。
【００６５】
本実施の形態の燃焼面選択切替手段１６は、選択燃焼面記憶手段３０に記憶された前回の保有熱量３０ａが所定熱量３０ｂ以上のときは、次回の選択燃焼面１３の選択面数を前回の燃焼面１２の選択面数より所定面数だけ少ない選択燃焼面１３を用いて次回のフィードフォワード給湯燃焼制御（Ｆ／Ｆ給湯燃焼制御）１５を実行し、選択燃焼面記憶手段３０に記憶された前回の保有熱量３０ａが所定熱量３０ｂ未満のときは、次回の選択燃焼面１３の選択面数を前回の燃焼面１２の選択面数より所定面数だけ多い選択燃焼面１３を用いて次回のフィードフォワード給湯燃焼制御（Ｆ／Ｆ給湯燃焼制御）１５を実行するものである。
【００６６】
次に第二の発明の一実施の形態における燃焼装置１０の作用を説明する。図２は第二の発明の一実施の形態にかかる燃焼装置１０のフィードフォワード給湯燃焼制御（Ｆ／Ｆ給湯燃焼制御）１５における、補正ガス２０の燃焼特性、および給湯の出湯温特性を示すグラフであり、図４は第二の発明の一実施の形態にかかる燃焼装置１０において、前回の燃焼面１２ならびに保有熱量３０ａに対して次回のフィードフォワード給湯燃焼制御（Ｆ／Ｆ給湯燃焼制御）１５に用いる選択燃焼面１３を選択するときに用いる対応表である。
【００６７】
第二の発明の一の実施の形態における燃焼装置１０は、図２に示すように、出湯時に、フィードフォワード燃焼ガス量（Ｆ／Ｆ）２４と補正値（α）２６とに基づいて算出した補正ガス２０を燃焼させる際に、複数の燃焼面１２の中から所要の面数の燃焼面１２を選択的に切替えるとともに、当該選択燃焼面１３上で当該補正ガス２０を燃焼させて給湯の出湯温１４の変動を最適化するフィードフォワード給湯燃焼制御（Ｆ／Ｆ給湯燃焼制御）１５を実行することができる。
【００６８】
さらに、第二の発明の一実施の形態における燃焼装置１０は、以下の［選択切替動作４］〜［選択切替動作５］に説明する動作を実行することができる。
【００６９】
［選択切替動作４］  フィードフォワード燃焼ガス量（Ｆ／Ｆ）２４に基づいて算出した補正ガス２０ａ、および当該フィードフォワード燃焼ガス量（Ｆ／Ｆ）２４と補正値（α）２６との積（Ｆ／Ｆ・α）に基づいて算出した補正ガス２０ｂを同一の選択燃焼面１３を用いて供給可能な場合。
【００７０】
例えば、図２に示すように、フィードフォワード燃焼ガス量（Ｆ／Ｆ）２４に基づいて算出した補正ガス２０ａを供給可能な選択燃焼面１３がＡ燃焼面＋Ｂ燃焼面であり、当該フィードフォワード燃焼ガス量（Ｆ／Ｆ）２４と補正値（α）２６との積（Ｆ／Ｆ・α）に基づいて算出した補正ガス２０ｂを供給可能な選択燃焼面１３がＡ燃焼面＋Ｂ燃焼面である場合（つまり、同一の選択燃焼面１３を用いて補正ガス２０を供給可能な場合）。
【００７１】
第二の発明の一実施の形態における燃焼装置１０は、このときの同一の選択燃焼面１３（例えば、Ａ燃焼面＋Ｂ燃焼面）上で、補正ガス２０の燃焼（例えば、Ａ＋Ｂ面燃焼）を行ってフィードフォワード給湯燃焼制御（Ｆ／Ｆ給湯燃焼制御）１５を実行する。
【００７２】
［選択切替動作５］  フィードフォワード燃焼ガス量（Ｆ／Ｆ）２４に基づいて算出した補正ガス２０ａを供給可能な選択燃焼面１３と当該フィードフォワード燃焼ガス量（Ｆ／Ｆ）２４および補正値（α）２６の積（Ｆ／Ｆ・α）に基づいて算出した補正ガス２０ｂを供給可能な選択燃焼面１３とを異なる選択燃焼面１３を用いて供給する必要がある場合。
【００７３】
例えば、フィードフォワード燃焼ガス量（Ｆ／Ｆ）２４に基づいて算出した補正ガス２０ａを供給可能な選択燃焼面１３がＡ燃焼面＋Ｂ燃焼面であり、当該フィードフォワード燃焼ガス量（Ｆ／Ｆ）２４および補正値（α）２６の積（Ｆ／Ｆ・α）に基づいて算出した補正ガス２０ｂを供給可能な選択燃焼面１３がＡ燃焼面＋Ｂ燃焼面＋Ｃ燃焼面（つまり、異なる選択燃焼面１３を用いて補正ガス２０を供給する必要がある場合）。
【００７４】
第二の発明の一実施の形態における燃焼装置１０は、図４に示すように、このときに選択燃焼面記憶手段３０に記憶された前回の燃焼面１２に基づいて、次回のフィードフォワード給湯燃焼制御（Ｆ／Ｆ給湯燃焼制御）１５に用いる選択燃焼面１３の選択的な切替えを実行する。
【００７５】
更に詳しく第二の発明の一実施の形態の作用について説明する。
選択燃焼面記憶手段３０は、選択的に切替えられた選択燃焼面１３（則ち、Ａ燃焼面、Ｂ燃焼面、Ｃ燃焼面、Ａ燃焼面＋Ｂ燃焼面、Ａ燃焼面＋Ｃ燃焼面、Ｃ燃焼面＋Ｂ燃焼面、Ａ燃焼面＋Ｂ燃焼面＋Ｃ燃焼面）、または当該選択燃焼面１３上でフィードフォワード給湯燃焼制御（Ｆ／Ｆ給湯燃焼制御）１５を実行したときに発生する保有熱量３０ａを記憶可能である。
【００７６】
燃焼面選択切替手段１６は、このときの補正ガス２０を燃焼させる際に、複数の燃焼面１２（本実施の形態では、Ａ燃焼面、Ｂ燃焼面、Ｃ燃焼面の３燃焼面）の中から所要の面数（則ち、１燃焼面〜３燃焼面）の燃焼面１２（則ち、Ａ燃焼面、Ｂ燃焼面、Ｃ燃焼面、Ａ燃焼面＋Ｂ燃焼面、Ａ燃焼面＋Ｃ燃焼面、Ｃ燃焼面＋Ｂ燃焼面、Ａ燃焼面＋Ｂ燃焼面＋Ｃ燃焼面）を選択的に切替えることが可能である。
【００７７】
さらに、燃焼面選択切替手段１６は、以下の［選択切替動作６］〜［選択切替動作７］に説明する動作を実行することができる。
【００７８】
本実施の形態では、図４に示すように、保有熱量３０ａによる燃焼面１２の選択的な切替えに替えて、補正値（α）２６による燃焼面１２の選択的な切替えを実行している。
【００７９】
［選択切替動作６］  選択燃焼面記憶手段３０に記憶された前回の保有熱量３０ａが所定熱量３０ｂ以上のとき（則ち、図４において、補正値（α）２６＞１、ただし、＞は不等号記号を意味する）。
【００８０】
燃焼面選択切替手段１６は、このときの次回の選択燃焼面１３の選択面数を前回の燃焼面１２の選択面数より所定面数だけ少ない選択燃焼面１３を用いて次回のフィードフォワード給湯燃焼制御（Ｆ／Ｆ給湯燃焼制御）１５を実行する。
【００８１】
例えば、補正値（α）２６＞１の場合であって、前回の燃焼面１２の選択面がＡ燃焼面＋Ｂ燃焼面＋Ｃ燃焼面のときは、次回の選択燃焼面１３の選択面数を前回の燃焼面１２の選択面数（則ち、３燃焼面）より１燃焼面（＝所定面数）だけ少ない選択燃焼面１３（則ち、Ａ燃焼面＋Ｂ燃焼面）を用いて次回のフィードフォワード給湯燃焼制御（Ｆ／Ｆ給湯燃焼制御）１５を実行する。
【００８２】
また、補正値（α）２６＞１の場合であって、前回の燃焼面１２の選択面がＡ燃焼面＋Ｂ燃焼面のときは、次回の選択燃焼面１３の選択面数を前回の燃焼面１２の選択面数（則ち、２燃焼面）より１燃焼面（＝所定面数）だけ少ない選択燃焼面１３（則ち、Ａ燃焼面）を用いて次回のフィードフォワード給湯燃焼制御（Ｆ／Ｆ給湯燃焼制御）１５を実行する。
【００８３】
また、補正値（α）２６＞１の場合であって、前回の燃焼面１２の選択面がＡ燃焼面のときは、次回の選択燃焼面１３の選択面数を前回の燃焼面１２の選択面数（則ち、１燃焼面）と同数の選択燃焼面１３（則ち、Ａ燃焼面）を用いて次回のフィードフォワード給湯燃焼制御（Ｆ／Ｆ給湯燃焼制御）１５を実行するようにしている。
【００８４】
なお、補正値（α）２６＞１の場合であって、前回の燃焼面１２の選択面がＡ燃焼面＋Ｂ燃焼面のときは、次回の選択燃焼面１３の選択面数を前回の燃焼面１２の選択面数（則ち、２燃焼面）と同数の選択燃焼面１３（則ち、Ａ燃焼面＋Ｂ燃焼面）を用いて次回のフィードフォワード給湯燃焼制御（Ｆ／Ｆ給湯燃焼制御）１５を実行するようにしてもよい。
【００８５】
［選択切替動作７］  選択燃焼面記憶手段３０に記憶された前回の保有熱量３０ａが所定熱量３０ｂ未満のとき（則ち、図４において、補正値（α）２６＜１、ただし、＜は不等号記号を意味する）。
【００８６】
燃焼面選択切替手段１６は、このときの次回の選択燃焼面１３の選択面数を前回の燃焼面１２の選択面数より所定面数だけ多い選択燃焼面１３を用いて次回のフィードフォワード給湯燃焼制御（Ｆ／Ｆ給湯燃焼制御）１５を実行する。
【００８７】
例えば、補正値（α）２６＜１の場合であって、前回の燃焼面１２の選択面がＡ燃焼面＋Ｂ燃焼面のときは、次回の選択燃焼面１３の選択面数を前回の燃焼面１２の選択面数（則ち、２燃焼面）より１燃焼面（＝所定面数）だけ多い選択燃焼面１３（則ち、Ａ燃焼面＋Ｂ燃焼面＋Ｃ燃焼面）を用いて次回のフィードフォワード給湯燃焼制御（Ｆ／Ｆ給湯燃焼制御）１５を実行する。
【００８８】
また、補正値（α）２６＜１の場合であって、前回の燃焼面１２の選択面がＡ燃焼面＋Ｂ燃焼面＋Ｃ燃焼面のときは、次回の選択燃焼面１３の選択面数を前回の燃焼面１２の選択面数（則ち、３燃焼面）と同数の選択燃焼面１３（則ち、Ａ燃焼面＋Ｂ燃焼面＋Ｃ燃焼面）を用いて次回のフィードフォワード給湯燃焼制御（Ｆ／Ｆ給湯燃焼制御）１５を実行するようにしている。
【００８９】
また、補正値（α）２６＜１の場合であって、前回の燃焼面１２の選択面がＡ燃焼面のときは、次回の選択燃焼面１３の選択面数を前回の燃焼面１２の選択面数（則ち、１燃焼面）より１燃焼面（＝所定面数）だけ多い選択燃焼面１３（則ち、Ａ燃焼面＋Ｂ燃焼面）を用いて次回のフィードフォワード給湯燃焼制御（Ｆ／Ｆ給湯燃焼制御）１５を実行する。
【００９０】
なお、補正値（α）２６＜１の場合であって、前回の燃焼面１２の選択面がＡ燃焼面＋Ｂ燃焼面のときは、次回の選択燃焼面１３の選択面数を前回の燃焼面１２の選択面数（則ち、２燃焼面）と同数の選択燃焼面１３（則ち、Ａ燃焼面＋Ｂ燃焼面）を用いて次回のフィードフォワード給湯燃焼制御（Ｆ／Ｆ給湯燃焼制御）１５を実行するようにしてもよい。
【００９１】
以上説明したように第二の発明の一実施の形態の燃焼装置１０によれば、フィードフォワード燃焼ガス量（Ｆ／Ｆ）２４に基づいて算出した補正ガス２０ａ、およびフィードフォワード燃焼ガス量（Ｆ／Ｆ）２４と補正値（α）２６との積（Ｆ／Ｆ・α）に基づいて算出した補正ガス２０ｂを同一の選択燃焼面１３を用いて供給可能な場合に、同一の選択燃焼面１３上でフィードフォワード給湯燃焼制御（Ｆ／Ｆ給湯燃焼制御）１５を実行し、また、フィードフォワード燃焼ガス量（Ｆ／Ｆ）２４に基づいて算出した補正ガス２０ａを供給可能な選択燃焼面１３とフィードフォワード燃焼ガス量（Ｆ／Ｆ）２４および補正値（α）２６の積（Ｆ／Ｆ・α）に基づいて算出した補正ガス２０ｂを供給可能な選択燃焼面１３とを異なる選択燃焼面１３を用いて供給する必要がある場合に、選択燃焼面記憶手段３０に記憶された前回の燃焼面１２ならびに保有熱量３０ａに基づいて、次回のフィードフォワード給湯燃焼制御（Ｆ／Ｆ給湯燃焼制御）１５に用いる選択燃焼面１３の選択的な切替えを実行することにより、給湯の出湯温１４の変動を最適化して快適な湯の使用ができる。
【００９２】
【発明の効果】
本発明に係る燃焼装置によれば、補正ガスを燃焼させる際に、フィードフォワード燃焼ガス量に基づいて算出した補正ガス、およびフィードフォワード燃焼ガス量と補正値との積に基づいて算出した補正ガスに応じて、複数の燃焼面の中から所要の面数の燃焼面を選択的に切替え、選択燃焼面上で補正ガスを燃焼させてフィードフォワード給湯燃焼制御を実行することにより、給湯の出湯温の変動を最適化して快適な湯の使用ができる。
【００９３】
さらに本発明の燃焼装置によれば、フィードフォワード燃焼ガス量に基づいて算出した補正ガス、およびフィードフォワード燃焼ガス量と補正値との積に基づいて算出した補正ガスを同一の選択燃焼面を用いて供給可能な場合に、同一の選択燃焼面上でフィードフォワード給湯燃焼制御を実行し、また、フィードフォワード燃焼ガス量に基づいて算出した補正ガスを供給可能な選択燃焼面とフィードフォワード燃焼ガス量と補正値の積に基づいて算出した補正ガスを供給可能な選択燃焼面とを異なる選択燃焼面を用いて供給する必要がある揚合に、選択燃焼面記憶手段に記憶された前回の選択燃焼面ならびに保有熱量に基づいて、次回のフィードフォワード給湯燃焼制御に用いる選択燃焼面の選択的な切替えを実行することにより、給湯の出湯温の変動を最適化して快適な湯の使用ができる。
【図面の簡単な説明】
【図１】第一の発明の一実施の形態または第二の発明の一実施の形態にかかる燃焼装置を示す機能ブロック図である。
【図２】第一の発明の一実施の形態または第二の発明の一実施の形態にかかる燃焼装置のフィードフォワード給湯燃焼制御における、補正ガスの燃焼特性、および給湯の出湯温特性を示すグラフの図表である。
【図３】第一の発明の一実施の形態にかかる燃焼装置のフィードフォワード給湯燃焼制御における、補正ガスの燃焼特性、および給湯の出湯温特性を示すグラフの図表である。
【図４】第二の発明の一実施の形態にかかる燃焼装置において、前回の選択燃焼面ならびに保有熱量に対して次回のフィードフォワード給湯燃焼制御に用いる選択燃焼面を選択するときに用いる対応図表である。
【図５】従来の燃焼装置のフィードフォワード給湯燃焼制御における、補正ガスの燃焼特性、および給湯の出湯温特性を示すグラフの図表である。
【符号の説明】
１０…燃焼装置
１２…燃焼面
１３…選択燃焼面
１４…出湯温
１５…フィードフォワード給湯燃焼制御
１６…燃焼面選択切替手段
２０…補正ガス
２０ａ…フィードフォワード燃焼ガス量に基づいて算出した補正ガス
２０ｂ…フィードフォワード燃焼ガス量と補正値との積に基づいて算出した補正ガス
２０ｃ…フィードフォワード給湯燃焼制御を満足させる最低限の補正ガス
２４…フィードフォワード燃焼ガス量
２４ａ…フィードフォワード給湯燃焼制御を満足させる最低限の補正ガスを供給可能な選択燃焼面で燃焼可能な最大の補正ガス量
２６…補正値
３０…選択燃焼面記憶手段
３０ａ…保有熱量
３０ｂ…所定熱量
【図１】
0003579513.tif 000002
【図２】
0003579513.tif 000003
【図３】
0003579513.tif 000004
【図４】
0003579513.tif 000005
【図５】
0003579513.tif 000006